(57)【要約】      （修正有）【課題】一つの健康器具でそれぞれ異なる使用者の身体にフィットするように調整可能な健康器具を提供する。【解決手段】一本のロープ体の中央部に間隔を設けて二箇所に引き解き止め結び３を設けてなる紐状組物健康器具。【選択図】図２
2018175414.tif 000002
【特許請求の範囲】
【請求項１】
一本のロープ体の中央部に間隔を設けて二箇所に引き解き止め結び部を設けることを特徴とする紐状組物健康器具。
【発明の詳細な説明】
【技術分野】
【０００１】
本発明は、身体特に大腿部および腰部の鍛錬に用いる紐状組物健康器具に関する。
【背景技術】
【０００２】
従来、身体の鍛錬等に用いる器具としては、種々の形態のものが提供されている。その内で紐状の健康器具も種々提供されている。例えば紐状物をゆるい螺旋状に撚合せてなる健康器具が知られている（特許文献１）。
【先行技術文献】
【特許文献】
【０００３】
【特許文献１】実用新案登録第２５６３４８５号公報
【発明の概要】
【発明が解決しようとする課題】
【０００４】
従来の紐状健康器具は、予め特定の形に成型されているために使用者の体格、体形にフィットする形態とするためにはサイズの異なる器具を各種揃えなければならなかった。本発明者は、一本のロープ体で使用者の身体にフィットするよう調整可能な健康器具について種々研究を重ねた結果本発明を完成するに至った。
【課題を解決するための手段】
【０００５】
すなわち、本発明は、一本のロープ体の中央部に間隔を設けて二箇所に引き解き止め結びを設けることを特徴とする紐状組物健康器具である。
【発明の効果】
【０００６】
本発明の紐状組物健康器具は、種々の体形の人にも、その人の身体にフィットした建康器具として調整できるので使用効果が格段に向上する。
また本発明の紐状組物健康器具を身体に装着することによって、大腿部、腰部、腹部が一本のロープ体で固定されているので、屈伸運動の際、腰部が動くとロープ体によって大腿部、腰部および腹部が互いに三方が引き合って力を分散すると共に、補助力が働くようになる。
さらに、本発明の紐状組物健康器具を身体に装着することによって、重いものを持つ、運ぶ、回す等の運動の際に生ずる腰部への負荷を分散させることができるので、農作業者、介護者、運搬作業者の他、リハビリにも有効である。
【図面の簡単な説明】
【０００７】
【図１】本発明のロープ体１の中央に印をつけた状態の平面図である。
【図２】本発明のロープ体１に引き解き止め結び部を設けた状態の平面図である。
【図３】本発明のロープ体１の４箇所に引き解き止め結び部を設けた紐状組物健康器具の平面図である。
【図４】本発明の引き解き止め結び部の組み方を示した斜視図である。
【図５】本発明のロープ体１の２箇所の引き解き止め結び部に端部を通した紐状組物健康器具の平面図である。
【図６】本発明の紐状組物健康器具を示した平面図である。
【図７】本発明の紐状組物健康器具を身体に装着した時の背部側の装着状態図であ                    る。
【図８】本発明の紐状組物健康器具を身体に装着した時の腹部側の装着状態図である。
【発明を実施するための形態】
【０００８】
次に本発明を図面を参照しながら説明をするが、本発明は以下の説明のみに限定されるものではない。
図１に示すように一本のロープ体１の中央部に目印２を設ける。次に図２に示すように、中央部近傍に間隔Ｇを設けて、引き解き止め結び部３、３´を設ける。
引き解き止め結び部３、３´の間の間隔Ｇは使用する人の一方の脇側から背側を通して他方の脇側迄の長さが好適である。
また図３に示すようにロープ体１の両端部４、４´近傍に引き解き止め結び部６、６´を設けることもできる。この場合引き解き止め結び部３と引き解き止め結び部６の間のロープ９および引き解き止め結び部３´と引き解き止め結び部６´の間のロープ１０の間隔Ｈは使用する人の一方の脇側から大腿部の間を通して他方の脇側迄の長さとすることが好適である。
ロープ体１に設けられる引き解き止め結び部３は図４に示すように該引き解き止め結び部３と輪部５、引き解き部１１、止め部１２から成り、引き解き部１１を引っ張ると簡単に解ける組方となっているので、使用後はロープ体１を左右に引くことによって一本の直線状のロープ体１に復元することができる。従って使用しない場合は、一本のロープ体１とすることが出来るので収納も容易に行うことができる。
次に図５に示すようにロープ体１の端部４を引き解き止め部３´の環部５に挿通する。またロープ体１の端部４´を引き解き止め結び部３の環部５´に挿通する。このようにすることによって、輪部１３、１４が構成される。
次に端部４を端部４´側に設けられた引き解き止め結び部６´の環部７に挿通させ、一方端部４´を端部４側に設けられた引き解き止め結び部６の環部７´に挿通させ、両端４、４´を引っ張ることによってロープ体１が緊縮して身体にさらにフィット感が向上するように装着することができる。
【０００９】
前記引き解き止め結び部３、３´間の間隔Ｇは使用する人の体格、大腿部の太さ等を考慮して適宜調整する。
また、引き解き止め結び部６、６´を設ける間隔Ｈも使用する人のウエスト等を考慮してロープ体１の両端部近傍に設けることが好ましい。
【００１０】
次に本発明の紐状組物健康器具の使用方法について説明する。
図６に示すようにロープ９とロープ１０を交差させて８の字を形成させ、図７に示すようにその輪の部分に右足と左足を入れる。次に残るロープ８（目印２）を背部の腰部に当てるようにして、図８に示すように引き解き止め結び部３の環部５´に挿通したロープ９´および引き解き止め結び部３´の環部５に挿通したロープ１０´を引っ張ることによってロープ体１が大腿部に密着し、大腿部と腰部に密着する状態になるのでその状態でロープ体１の端部部分を結ぶことによって健康器具としての役割を果たすことができる。この状態で例えば屈伸運動をすれば大腿部および腰部のトレーニングを行うことができる。
また他の方法として図２に示す組方のものでも使用することができる。
【００１１】
本発明のロープ体１の素材としては、綿、麻、絹等の天然繊維、ポリアミド系、ポリエステル系、ポリビニルアルコール系、ポリエチレン系、ポリプロピレン系、ポリ塩化ビニリデン系、アラミド系、ポリアリレート系、超高分子ポリエチレン系等の合成繊維が掲げられる。またポリプロピレン等で被覆された中芯がゴム等のストレッチロープも掲げられる。
【００１２】
また本発明の紐状組物健康器具の他の態様としては、図６に示すロープ８または／およびロープ９´・ロープ１０´に、例えば素材が天然ゴム製、合成ゴム製、合成樹脂製等の断面が環状でチューブ状等の滑り止め具を設けることによって、ロープ体１が腰部、腹部に密着性が増し、身体を動かしてもロープ体１のズレを防ぐことができる。
【００１３】
本発明のロープ体１は、三つ打ち、エイトロープ、トエルロープ、タフレロープ等の形態で調整することができる。またロープ体１を調整する場合、天然繊維、合成繊維単独で調製しても良いが、異なる繊維を用いて混紡することもできる。
【００１４】
本発明のロープ体１の太さも特に制限されるものではないが、例えば直径３〜１２ｍｍ程度の太さが好ましい。
【符号の説明】
【００１５】
１・・・ロープ体
３・・・引き解き止め結び部
３´・・・引き解き止め結び部
【図１】
2018175414.tif 000003
【図２】
2018175414.tif 000004
【図３】
2018175414.tif 000005
【図４】
2018175414.tif 000006
【図５】
2018175414.tif 000007
【図６】
2018175414.tif 000008
【図７】
2018175414.tif 000009
【図８】
2018175414.tif 000010